【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
種卵の内部状態を検査する種卵検査装置であって、
種卵に光を照射する光源と、
前記光源から照射された光のうち前記種卵中を透過・散乱した光を受光する受光部と、
前記受光部が受光した光を受光電圧に変換する光電変換部と、
前記光電変換部が変換した受光電圧があらかじめ与えられた設定範囲に収まるように前記光源光量を制御する制御部と、
前記制御部が決定した前記光源光量の制御量の下で所定のサンプリング周期で一定時間以上サンプリングされた受光電圧の時系列を記憶する記憶部と、
前記記憶部が記憶した時系列に含まれる受光電圧の平均周りの変動分と前記制御部が決定した制御量から前記種卵の内部状態を判定する判定演算部と、を備える種卵検査装置。
【請求項２】
種卵の内部状態を検査する種卵検査装置であって、
種卵に光を照射する光源と、
前記光源から照射された光のうち前記種卵中を透過・散乱した光を受光する受光部と、
前記受光部が受光した光を受光電圧に変換する光電変換部と、
前記光電変換部が変換した受光電圧があらかじめ与えられた設定範囲に収まるように前記光源光量を制御する制御部と、
前記制御部が前記光源光量を決定した際の光源光量を測定する測定部と、
前記制御部が決定した前記光源光量の制御量の下で所定のサンプリング周期で一定時間以上サンプリングされた受光電圧の時系列を記憶する記憶部と、
前記記憶部が記憶した時系列に含まれる受光電圧の平均周りの変動分と、前記測定部が測定した光源光量の測定値から前記種卵の内部状態を判定する判定演算部と、を備える種卵検査装置。
【請求項３】
種卵の内部状態を検査する種卵検査装置であって、
種卵に光を照射する光源を備え、
前記光源はＬＥＤであって、ＬＥＤの電流制限抵抗の一部を固定化し、その両端の電圧である固定部抵抗電圧を測定する回路を有し、さらに、
前記光源から照射された光のうち前記種卵中を透過・散乱した光を受光する受光部と、
前記受光部が受光した光を受光電圧に変換する光電変換部と、
前記光電変換部が変換した受光電圧があらかじめ与えられた設定範囲となるように前記光源光量を制御する制御部と、
前記制御部が決定した前記光源光量の制御量の下で所定のサンプリング周期で一定時間以上サンプリングされた受光電圧の時系列を記憶する記憶部と、
前記制御部が前記光源光量を決定した際の、あるいは受光電圧の時系列をサンプリング中の固定部抵抗電圧と受光電圧から計算した透過率と、前記記憶部が記憶した時系列に含まれる受光電圧の平均周りの変動分から前記種卵の内部状態を判定する判定演算部と、を備える種卵検査装置。
【請求項４】
前記光源は、発光スペクトルの形状が単一の中心波長を有する単峰性の光源ユニットを複数個用いており、これらの光源ユニットの中心波長の種類が複数である請求項１から請求項３のいずれかに記載の種卵検査装置。
【請求項５】
前記光源は、前記種卵を載せるトレイの卵座の中心のまわりに分散配置された複数個の光源である請求項１から請求項４のいずれかに記載の種卵検査装置。
【請求項６】
前記記憶部は、１４Ｈｚ以上のサンプリング周期で一定時間以上サンプリングされた受光電圧の時系列を記憶する請求項１から請求項５のいずれかに記載の種卵検査装置。
【請求項７】
前記記憶部は、受光電圧の時系列を５００ｍｓｅｃ以上記憶する請求項１から請求項６のいずれかに記載の種卵検査装置。
【請求項８】
種卵の内部状態検査方法であって、
種卵に光を照射するステップと、
前記種卵中を透過・散乱した光を受光するステップと、
前記受光するステップが受光した光を受光電圧に変換するステップと、
受光電圧があらかじめ与えられた設定範囲に収まるように光源光量を制御するステップと、
前記光源光量を制御するステップで決定した際の制御量の下で所定のサンプリング周期で一定時間以上サンプリングされた受光電圧の時系列を記憶するステップと、
前記受光電圧の時系列を記憶するステップで記憶した時系列に含まれる受光電圧の平均周りの変動分と、前記光源光量を制御するステップで決定した制御量から前記種卵の内部状態を判定するステップと、を備える種卵の内部状態検査方法。
【請求項９】
種卵の内部状態検査方法であって、
種卵に光を照射するステップと、
前記種卵中を透過・散乱した光を受光するステップと、
前記受光するステップが受光した光を受光電圧に変換するステップと、
受光電圧があらかじめ与えられた設定範囲に収まるように光源光量を制御するステップと、
前記光源光量を制御するステップで光源光量を決定した際の光源光量を測定するステップと、
前記光源光量を制御するステップで決定した際の制御量の下で所定のサンプリング周期で一定時間以上サンプリングされた受光電圧の時系列を記憶するステップと、
前記光源光量を測定するステップが測定した光源光量の測定値と、前記受光電圧の時系列を記憶するステップで記憶した時系列に含まれる受光電圧の平均周りの変動分から前記種卵の内部状態を判定するステップと、を備える種卵の内部状態検査方法。
【請求項１０】
種卵の内部状態検査方法であって、
種卵に光を照射するステップと、
ＬＥＤ光源の電流制限抵抗の一部を固定化し、その両端の電圧である固定部抵抗電圧を測定するステップと、
前記種卵中を透過・散乱した光を受光するステップと、
前記受光するステップが受光した光を受光電圧に変換するステップと、
受光電圧があらかじめ与えられた設定範囲に収まるように光源光量を制御するステップと、
前記光源光量を制御するステップで決定した際の制御量の下で所定のサンプリング周期で一定時間以上サンプリングされた受光電圧の時系列を記憶するステップと、
前記光源光量を制御するステップで光源光量を決定した際の、あるいは受光電圧の時系列をサンプリング中の固定部抵抗電圧と受光電圧から計算した透過率と、受光電圧の平均周りの変動分から前記種卵の内部状態を判定するステップと、を備える種卵の内部状態検査方法。
【手続補正２】
【補正対象書類名】明細書
【補正対象項目名】００３９
【補正方法】変更
【補正の内容】
【００３９】
請求項１に記載の発明は、種卵に光を照射する光源と、前記光源から照射された光のうち前記種卵中を透過・散乱した光を受光する受光部と、前記受光部が受光した光を受光電圧に変換する光電変換部と、前記光電変換部が変換した受光電圧があらかじめ与えられた設定範囲に収まるように前記光源光量を制御する制御部と、前記制御部が決定した前記光源光量の制御量の下で所定のサンプリング周期で一定時間以上サンプリングされた受光電圧の時系列を記憶する記憶部と、前記記憶部が記憶した時系列に含まれる受光電圧の平均周りの変動分と前記制御部が決定した制御量から前記種卵の内部状態を判定する判定演算部と、を備える種卵検査装置である。
【手続補正３】
【補正対象書類名】明細書
【補正対象項目名】００４０
【補正方法】変更
【補正の内容】
【００４０】
請求項２に記載の発明は、種卵に光を照射する光源と、前記光源から照射された光のうち前記種卵中を透過・散乱した光を受光する受光部と、前記受光部が受光した光を受光電圧に変換する光電変換部と、前記光電変換部が変換した受光電圧があらかじめ与えられた設定範囲に収まるように前記光源光量を制御する制御部と、前記制御部が前記光源光量を決定した際の光源光量を測定する測定部と、前記制御部が決定した前記光源光量の制御量の下で所定のサンプリング周期で一定時間以上サンプリングされた受光電圧の時系列を記憶する記憶部と、前記記憶部が記憶した時系列に含まれる受光電圧の平均周りの変動分と、前記測定部が測定した光源光量の測定値から前記種卵の内部状態を判定する判定演算部と、を備える種卵検査装置である。
【手続補正４】
【補正対象書類名】明細書
【補正対象項目名】００４１
【補正方法】変更
【補正の内容】
【００４１】
請求項３に記載の発明は、種卵に光を照射する光源を備え、前記光源はＬＥＤであって、ＬＥＤの電流制限抵抗の一部を固定化し、その両端の電圧である固定部抵抗電圧を測定する回路を有し、さらに、前記光源から照射された光のうち前記種卵中を透過・散乱した光を受光する受光部と、前記受光部が受光した光を受光電圧に変換する光電変換部と、前記光電変換部が変換した受光電圧があらかじめ与えられた設定範囲となるように前記光源光量を制御する制御部と、前記制御部が決定した前記光源光量の制御量の下で所定のサンプリング周期で一定時間以上サンプリングされた受光電圧の時系列を記憶する記憶部と、前記制御部が前記光源光量を決定した際の、あるいは受光電圧の時系列をサンプリング中の固定部抵抗電圧と受光電圧から計算した透過率と、前記記憶部が記憶した時系列に含まれる受光電圧の平均周りの変動分から前記種卵の内部状態を判定する判定演算部と、を備える種卵検査装置である。
【手続補正５】
【補正対象書類名】明細書
【補正対象項目名】００４３
【補正方法】変更
【補正の内容】
【００４３】
請求項５に記載の発明は、前記光源が、前記種卵を載せるトレイの卵座の中心のまわりに分散配置された複数個の光源である請求項１から請求項４のいずれかに記載の種卵検査装置である。
【手続補正６】
【補正対象書類名】明細書
【補正対象項目名】００４６
【補正方法】変更
【補正の内容】
【００４６】
請求項８に記載の発明は、種卵に光を照射するステップと、前記種卵中を透過・散乱した光を受光するステップと、前記受光するステップが受光した光を受光電圧に変換するステップと、受光電圧があらかじめ与えられた設定範囲に収まるように光源光量を制御するステップと、前記光源光量を制御するステップで決定した際の制御量の下で所定のサンプリング周期で一定時間以上サンプリングされた受光電圧の時系列を記憶するステップと、前記受光電圧の時系列を記憶するステップで記憶した時系列に含まれる受光電圧の平均周りの変動分と、前記光源光量を制御するステップで決定した制御量から前記種卵の内部状態を判定するステップと、を備える種卵の内部状態検査方法である。
【手続補正７】
【補正対象書類名】明細書
【補正対象項目名】００４７
【補正方法】変更
【補正の内容】
【００４７】
請求項９に記載の発明は、種卵に光を照射するステップと、前記種卵中を透過・散乱した光を受光するステップと、前記受光するステップが受光した光を受光電圧に変換するステップと、受光電圧があらかじめ与えられた設定範囲に収まるように光源光量を制御するステップと、前記光源光量を制御するステップで光源光量を決定した際の光源光量を測定するステップと、前記光源光量を制御するステップで決定した際の制御量の下で所定のサンプリング周期で一定時間以上サンプリングされた受光電圧の時系列を記憶するステップと、前記光源光量を測定するステップが測定した光源光量の測定値と、前記受光電圧の時系列を記憶するステップで記憶した時系列に含まれる受光電圧の平均周りの変動分から前記種卵の内部状態を判定するステップと、を備える種卵の内部状態検査方法である。
【手続補正８】
【補正対象書類名】明細書
【補正対象項目名】００４８
【補正方法】変更
【補正の内容】
【００４８】
請求項１０に記載の発明は、種卵に光を照射するステップと、ＬＥＤ光源の電流制限抵抗の一部を固定化し、その両端の電圧である固定部抵抗電圧を測定するステップと、前記種卵中を透過・散乱した光を受光するステップと、前記受光するステップが受光した光を受光電圧に変換するステップと、受光電圧があらかじめ与えられた設定範囲に収まるように光源光量を制御するステップと、前記光源光量を制御するステップで決定した際の制御量の下で所定のサンプリング周期で一定時間以上サンプリングされた受光電圧の時系列を記憶するステップと、前記光源光量を制御するステップで光源光量を決定した際の、あるいは受光電圧の時系列をサンプリング中の固定部抵抗電圧と受光電圧から計算した透過率と、受光電圧の平均周りの変動分から前記種卵の内部状態を判定するステップと、を備える種卵の内部状態検査方法である。